(57)【要約】放送に関する情報を検索する情報検索システムは、無線周波数受信器と、受信器によって受信される特定の放送に関する識別データを検出する検出器とを備えている。識別データは、放送に関連して送信される。プロセッサは、検出器と通信して、識別データを処理し、印刷に適する書式付きデータを生成する。印刷ユニットは、受信器に関連付けられており、書式付きデータを印刷して放送に関する情報を提供する。
2005518131.tif 000002
【特許請求の範囲】
【請求項１】
受信器によって受信される放送に関する情報を検索する情報検索システムであって、
無線周波数受信器と、
前記受信器によって受信される特定の放送に関する識別データを検出する検出手段であり、前記識別データが前記放送に関連して送信される、前記検出手段と、
前記検出手段と通信して、前記識別データを処理し、印刷に適する書式付きデータを生成する処理手段と、
前記受信器に関連付けられている印刷ユニットであり、前記書式付きデータを印刷して前記放送に関する情報を提供する、前記印刷ユニットと、
を含んでいる、情報検索システム。
【請求項２】
前記受信器が乗り物に取り付けられており、かつ、前記印刷ユニットが前記乗り物に取り付けられている、請求項１に記載のシステム。
【請求項３】
前記識別データが前記特定の放送に関連付けられている識別タグを備えている、請求項１に記載のシステム。
【請求項４】
前記検出手段がタグ照合ユニットを備えている、請求項３に記載のシステム。
【請求項５】
前記放送がアナログ音声信号によるものであり、かつ、前記識別データが前記信号に挿入される、請求項１に記載のシステム。
【請求項６】
前記放送がデジタル音声信号によるものであり、かつ、前記識別データが前記信号の割り当てデータ成分に挿入される、請求項１に記載のシステム。
【請求項７】
前記放送がアナログ映像信号によるものであり、かつ、前記識別データが前記信号の帰線期間の間に前記信号に挿入される、請求項１に記載のシステム。
【請求項８】
前記放送がデジタル映像信号によるものであり、かつ、前記識別データが前記信号の割り当てデータ成分に挿入される、請求項１に記載のシステム。
【請求項９】
前記受信器が、前記識別データを検出させて前記識別データを前記印刷ユニットに送って印刷させる目的で、ユーザが操作して前記検出手段を起動することのできる作動手段、を含んでいる、請求項１に記載のシステム。
【請求項１０】
前記処理手段が、前記検出手段と通信するレイアウトエンジンを含んでいる、請求項１に記載のシステム。
【請求項１１】
前記レイアウトエンジンが、前記プリンタに伝えられるデータ要素を、適切な印刷媒体への印刷時に前記データが視覚的に認識できる形式で提示されるようにレイアウトする、請求項１０に記載のシステム。
【請求項１２】
前記処理手段が、前記レイアウトエンジンと通信して前記データを操作して前記書式付きデータを生成するデータ操作手段、を更に備えている、請求項１０に記載のシステム。
【請求項１３】
前記印刷ユニットが、印刷対象である前記書式付きデータを受信するプリンタコントローラと、プリンタとを含んでいる、請求項１２に記載のシステム。
【請求項１４】
前記プリンタがフルカラープリンタである、請求項１３に記載のシステム。
【請求項１５】
前記プリンタが写真画質のカラープリンタである、請求項１４に記載のシステム。
【請求項１６】
前記プリンタがインクジェットプリンタである、請求項１５に記載のシステム。
【請求項１７】
前記プリンタがインクジェット式ページ幅プリントヘッドを備えている、請求項１６に記載のシステム。
【請求項１８】
前記プリントヘッドがノズルのアレイを備えており、前記アレイが、マイクロメカトロニクス技術によって製作されている、請求項１７に記載のシステム。
【請求項１９】
受信器によって受信される放送に関する情報を検索する方法であって、
無線周波数受信器によって放送を受信するステップと、
前記受信器によって受信される特定の放送に関する識別データを検出するステップであり、前記識別データが前記放送に関連して送信される、前記ステップと、
前記識別データを処理して、印刷に適する書式付きデータを生成するステップと、
前記書式付きデータを印刷して前記放送に関する情報を提供するステップと、
を含んでいる、方法。
【請求項２０】
前記受信器が乗り物に取り付けられており、かつ、前記方法が、前記乗り物にプリンタを取り付けるステップと、前記情報を前記プリンタによって印刷するステップとを含んでいる、請求項１９に記載の方法。
【請求項２１】
前記識別データを、前記特定の放送に関連付けられているタグとして送信するステップを含んでいる、請求項２０に記載の方法。
【請求項２２】
前記タグをタグ照合ユニットによって検出するステップを含んでいる、請求項２１に記載の方法。
【請求項２３】
前記放送がアナログ音声信号によるものであり、かつ、前記方法が、前記識別データを前記信号に挿入するステップを含んでいる、請求項１９に記載の方法。
【請求項２４】
前記放送がデジタル音声信号によるものであり、かつ、前記方法が、前記識別データを前記信号の割り当てデータ成分に挿入するステップを含んでいる、請求項１９に記載の方法。
【請求項２５】
前記放送がアナログ映像信号によるものであり、かつ、前記方法が、前記識別データを前記信号の帰線期間の間に前記信号に挿入するステップを含んでいる、請求項１９に記載の方法。
【請求項２６】
前記放送がデジタル映像信号によるものであり、かつ、前記方法が、前記識別データを前記信号の割り当てデータ成分に挿入するステップを含んでいる、請求項１９に記載の方法。
【請求項２７】
前記識別データを検出して前記識別データを前記印刷ユニットに送って印刷する目的で、前記検出手段を起動するステップ、を含んでいる、請求項１９に記載の方法。
【請求項２８】
印刷前に前記識別データを操作して前記書式付きデータを生成するステップを含んでいる、請求項２７に記載の方法。
【請求項２９】
車両に取り付けられている受信器によって受信される放送に関する情報を検索する情報検索システムであって、
無線周波数受信器と、
前記受信器によって受信される特定の放送に関する識別データを検出する車載検出手段であり、前記識別データが前記放送に関連して送信される、前記車載検出手段と、
前記検出手段と通信して、前記識別データを処理し、印刷に適する書式付きデータを生成する処理手段と、
前記書式付きデータを印刷して前記放送に関する情報を提供する車載印刷ユニットと、
を含んでいる、情報検索システム。
【請求項３０】
車両に取り付けられている受信器によって受信される放送に関する情報を検索する方法であって、
無線周波数受信器によって放送を受信するステップと、
前記受信器によって受信される特定の放送に関する識別データを検出するステップであり、前記識別データが前記放送に関連して送信される、前記ステップと、
前記識別データを処理して、印刷に適する書式付きデータを生成するステップと、
前記書式付きデータを車載印刷ユニットによって印刷するステップと、
を含んでいる、方法。
【請求項３１】
車両に取り付けられている受信器によって受信される放送に関する情報を検索する情報検索システムであって、
無線周波数受信器と、
前記受信器によって受信される特定の放送に関連して送信される識別タグを検出して識別するタグ識別手段と、
前記タグ識別手段に接続されている起動手段であり、ユーザが前記放送に関する情報を取得することを望むときに操作して前記タグ識別手段を起動することのできる、前記起動手段と、
前記タグ識別手段によって生成された識別データを、前記タグ識別手段に応答して少なくともテキストデータに変換処理するレイアウトエンジンと、
前記レイアウトエンジンに接続されている印刷前処理手段であり、前記データを処理して、印刷に適する形式である書式付きデータを生成する、前記印刷前処理手段と、
要求時に前記書式付きデータを印刷して前記放送に関する前記情報のハードコピーを提供する車載プリンタと、
を含んでいる、情報検索システム。
【請求項３２】
車両に取り付けられている受信器によって受信される放送に関する情報を検索する方法であって、
無線周波数受信器によって特定の放送を受信するステップと、
前記放送に関連して送信される識別タグをタグ識別手段によって検出して識別するステップと、
ユーザが前記放送に関する情報を取得することを望むときに前記タグ識別手段を起動するステップと、
前記タグ識別手段によって生成された識別データを少なくともテキストデータに変換処理するステップと、
前記テキストデータを処理して、印刷に適する形式である書式付きデータを生成するステップと、
前記車両に含まれている車載プリンタによって前記書式付きデータを要求時に印刷して、前記放送に関する情報のハードコピーを提供するステップと、
を含んでいる、方法。
【発明の詳細な説明】
【発明の分野】
【０００１】
本発明は、情報検索システムに関し、より詳細には、乗り物の中の受信器によって受信される放送に関する情報を検索する、乗り物に取り付けられている情報検索システムに関する。
【０００２】
本明細書においては、特に明記していない限りは、用語「乗り物」は、人若しくは物体、又はその両方を運ぶのに適する任意の装置として広義に理解するものとし、道路車両、航空機、鉄道車両、船舶、宇宙船、その他を含む。
【発明の背景】
【０００３】
無線周波数受信器が内蔵されている自動車が増えている。内蔵されていない場合、自動車のオプションとして購入後に無線周波数受信器が追加されることがしばしばある。また、このような無線周波数受信器でテレビを備えているタイプもますます普及している。
【０００４】
乗り物の乗員が、このような受信器によって受信された特定の放送に関する情報を取得することを望む場合、その乗員は、二つの手法のうちのいずれかを使用する必要がある。第一の手法では、特定の放送内容を聴いた、又は見た乗員は、その放送内容の識別情報に関するアナウンスを覚えておく必要がある。この場合、そのアナウンスに含まれていた情報を後の段階で利用して、更なる情報を得ることができる程度に詳しく覚えておく必要がある。
【０００５】
二番目の手法は、放送局の名称と、放送が行われた時刻とをメモしておくことである。これらの情報を使用して放送局に連絡し、放送スケジュールを尋ねることによって、その放送内容を特定することができる。
【０００６】
どちらの手法も、走行中の車両の中で視聴者が情報を記憶するか又は書き留める必要があるということにおいて、大きな欠点を持つ。特に視聴者が車両の運転者でもある場合、この危険性は明らかである。
【０００７】
また、交通上の騒音、或いは一時的な電波干渉状態によって放送が途切れるなどの結果として注意力が失われて、アナウンスを聞き逃す、又は見逃すことがしばしばある。
【０００８】
視聴者が放送内容の詳細を記憶又は記録することができた場合でさえも、放送のコピーを取得するためには、その放送内容が含まれている出版物を探し、その情報を持って店に出かけて必要な買い物を行う（放送が製品又はサービスの広告であった場合）など、更にいくつかのステップが依然として必要である。
【同時係属出願】
【０００９】
本発明の出願人又は譲渡人によって本出願と同時に出願される以下の同時係属出願には、本発明に関連する様々な方法、システム、及び装置が開示されている。
ＡＰ３９  ＡＰ４３  ＡＰ４４  ＡＰ４６  ＡＰ４７  ＡＰ４８  
ＡＰ４９  ＡＰ５０  ＡＰ５１  ＡＰ５２  ＡＰ５３  ＡＰ５５  
ＡＰ５８  ＡＰ６０  ＡＰ６１  ＡＰ６２  ＡＰ６３  ＡＰ６４  
ＡＰ６５  ＡＰ６６  ＡＰ６７  ＡＰ６８  ＡＰ６９  ＡＰ７０  
ＡＰ７１  ＡＰ７７  ＡＰ７８  ＡＰ７９
これらの同時係属出願の開示は、本文書に相互参照によって組み込まれている。各出願は、一時的にファイル参照番号によって識別されている。このファイル参照番号は、対応するＰＣＴ出願番号が決定した時点でそれに置き換えられる。
【００１０】
［関連出願及び特許］
US6,227,652   US6,213,588   US6,213,589   US6,231,163
US6,247,795   US6,394,581   US6,244,691   US6,257,704
US6,416,168   US6,220,694   US6,257,705   US6,247,794
US6,234,610   US6,247,793   US6,264,306   US6,241,342
US6,247,792   US6,264,307   US6,254,220   US6,234,611
US6,302,528   US6,283,582   US6,239,821   US6,338,547
US6,247,796   US09/113,122  US6,390,603   US6,362,843
US6,293,653   US6,312,107   US6,227,653   US6,234,609
US6,238,040   US6,188,415   US6,227,654   US6,209,989
US6,247,791   US6,336,710   US6,217,153   US6,416,167
US6,243,113   US6,283,581   US6,247,790   US6,260,953
US6,267,469   US6,273,544   US6,309,048   US6,420,196
US6,443,558   US09/422,892  US6,378,989   US09/425,420
US09/422,893  US09/609,140  US6,409,323   US6,281,912
US09/575,113  US6,318,920   US6,488,422   US09/693,644
US6,457,810   US6,485,135   US09/112,763  US6,331,946
US6,246,970   US6,442,525   US09/505,951  US09/505,147
US09/505,952  US09/575,108  US09/575,109  US09/575,110
US09/607,985  US6,398,332   US6,394,573   US09/606,999 
US6,238,044   US6,425,661   US6,390,605   US6,322,195
US09/504,221  US6,480,089   US6,460,778   US6,305,788
US6,426,014   US6,364,453   US6,457,795   US09/556,219
US09/556,218  US6,315,399   US6,338,548   US09/575,190
US6,328,431   US6,328,425   US09/575,127  US6,383,833
US6,464,332   US6,390,591   US09/575,152  US6,328,417
US6,322,194   US09/575,177  US09/575,175  US6,417,757
US09/608,780  US6,428,139   US09/607,498  US09/693,079
US09/693,135  US6,428,142   US09/692,813  US09/693,319
US09/693,311  US6,439,908   US09/693,735  PCT/AU98/00550
PCT/AU00/00516  PCT/AU00/00517  PCT/AU00/00511  PCT/AU00/00754
PCT/AU00/00755  PCT/AU00/00756  PCT/AU00/00757  PCT/AU00/00095
PCT/AU00/00172  PCT/AU00/00338  PCT/AU00/00339  PCT/AU00/00340
PCT/AU00/00341  PCT/AU00/00581  PCT/AU00/00580  PCT/AU00/00582
PCT/AU00/00587  PCT/AU00/00588  PCT/AU00/00589  PCT/AU00/00583
PCT/AU00/00593  PCT/AU00/00590  PCT/AU00/00591  PCT/AU00/00592
PCT/AU00/00584  PCT/AU00/00585  PCT/AU00/00586  PCT/AU00/00749
PCT/AU00/00750  PCT/AU00/00751  PCT/AU00/00752  PCT/AU01/01332
PCT/AU01/01318  PCT/AU00/01513  PCT/AU00/01514  PCT/AU00/01515
PCT/AU00/01516  PCT/AU00/01517  PCT/AU00/01512  PCT/AU01/00502
PCT/AU02/01120  PCT/AU00/00333  PCT/AU01/00141  PCT/AU01/00139
PCT/AU01/00140  PCT/AU00/00753  PCT/AU01/01321  PCT/AU01/01322
PCT/AU01/01323  PCT/AU00/00594  PCT/AU00/00595  PCT/AU00/00596
PCT/AU00/00597  PCT/AU00/00598  PCT/AU00/00741  PCT/AU00/00742
【発明の概要】
【００１１】
本発明の第１の態様によると、受信器によって受信される放送に関する情報を検索する情報検索システムであって、
無線周波数受信器と、
受信器によって受信される特定の放送に関する識別データを検出する検出手段であり、識別データが放送に関連して送信される、検出手段と、
検出手段と通信して、識別データを処理し、印刷に適する書式付きデータを生成する処理手段と、
受信器に関連付けられている印刷ユニットであり、書式付きデータを印刷して放送に関する情報を提供する、印刷ユニットと、
を含んでいる、情報検索システムが提供される。
【００１２】
受信器は乗り物に取り付けられており、かつ、印刷ユニットはこの乗り物に取り付けられていることが好ましい。
【００１３】
識別データは、特定の放送に関連付けられている識別タグを含んでいることができる。この場合、検出手段は、タグ照合ユニットを備えていることができる。
【００１４】
放送は、アナログ音声信号によるものでよく、識別データは、信号に挿入することができる。これに代えて、放送はデジタル音声信号によるものでよく、識別データは、信号の割り当てデータ成分（ａｌｌｏｃａｔｅｄ  ｄａｔａ  ｃｏｍｐｏｎｅｎｔ）に挿入することができる。これに代えて、放送は、アナログ映像信号によるものでよく、識別データは、信号の帰線期間中に信号に挿入することができる。更に別の可能性として、放送は、デジタル映像信号によるものでよく、識別データは、信号の割り当てデータ成分に挿入することができる。
【００１５】
受信器は、識別データを検出させてその識別データを印刷ユニットに送って印刷させる目的で、ユーザが操作して検出手段を起動することのできる作動手段を備えていることができる。
【００１６】
処理手段は、検出手段と通信するレイアウトエンジンを備えていることができる。このレイアウトエンジンは、プリンタに伝えられるデータ要素を、適切な印刷媒体への印刷時にデータが視覚的に認識できる形式で提示されるようにレイアウトする。
【００１７】
処理手段は、レイアウトエンジンと通信してデータを操作して書式付きデータを生成するデータ操作手段、を更に備えていることができる。
【００１８】
印刷ユニットは、印刷対象である書式付きデータを受信するプリンタコントローラと、プリンタとを備えていることができる。プリンタは、フルカラープリンタでよい。プリンタは、写真画質のカラープリンタであることが好ましい。
【００１９】
更には、プリンタは、インクジェットプリンタでよい。この場合、プリンタは、インクジェット式ページ幅プリントヘッドを備えていることができる。プリントヘッドは、ノズルのアレイを備えていることができ、このアレイは、マイクロメカトロニクス（ｍｉｃｒｏｅｌｅｃｔｒｏｍｅｃｈａｎｉｃａｌ）技術によって製作される。
【００２０】
本発明の第２の態様によると、受信器によって受信される放送に関する情報を検索する方法であって、
無線周波数受信器によって放送を受信するステップと、
受信器によって受信される特定の放送に関する識別データを検出するステップであり、識別データが放送に関連して送信される、ステップと、
識別データを処理して、印刷に適する書式付きデータを生成するステップと、
書式付きデータを印刷して放送に関する情報を提供するステップと、
を含んでいる、方法が提供される。
【００２１】
受信器は乗り物に取り付けられており、かつ、情報を検索する方法が、乗り物にプリンタを取り付けるステップと、このプリンタによって情報を印刷するステップとを含んでいることが好ましい。
【００２２】
この方法は、識別データを特定の放送に関連付けられているタグとして送信するステップを含んでいることができる。この場合、この方法は、タグ照合ユニットによってタグを検出するステップを含んでいることができる。
【００２３】
放送は、アナログ音声信号によるものでよく、情報を検索する方法は、識別データを信号に挿入するステップを含んでいることができる。これに代えて、放送はデジタル音声信号によるものでよく、情報を検索する方法は、識別データを信号の割り当てデータ成分に挿入するステップを含んでいることができる。これに代えて、放送は、アナログ映像信号によるものでよく、情報を検索する方法は、識別データを信号の帰線期間中に信号に挿入するステップを含んでいることができる。更に別の可能性として、放送は、デジタル映像信号によるものでよく、情報を検索する方法は、識別データを信号の割り当てデータ成分に挿入するステップを含んでいることができる。
【００２４】
この方法は、識別データを検出してその識別データを印刷ユニットに送って印刷する目的で、検出手段を起動するステップ、を含んでいることができる。
【００２５】
この方法は、印刷前に識別データを操作して書式付きデータを生成するステップ、を含んでいることができる。
【００２６】
本発明の第３の態様によると、車両に取り付けられている受信器によって受信される放送に関する情報を検索する情報検索システムであって、
無線周波数受信器と、
受信器によって受信される特定の放送に関する識別データを検出する車載検出手段であり、識別データが放送に関連して送信される、車載検出手段と、
検出手段と通信して、識別データを処理し、印刷に適する書式付きデータを生成する処理手段と、
書式付きデータを印刷して放送に関する情報を提供する車載印刷ユニットと、
を含んでいる、情報検索システムが提供される。
【００２７】
本明細書においては、特に明記していない限りは、用語「車載」は、乗物に取り付けられている装置及びその構成部品として広義に理解するものとする。
【００２８】
本発明の第４の態様によると、車両に取り付けられている受信器によって受信される放送に関する情報を検索する方法であって、
受信器によって受信される特定の放送に関する識別データを検出するステップであり、識別データが放送に関連して送信される、ステップと、
識別データを処理して、印刷に適する書式付きデータを生成するステップと、
書式付きデータを車載印刷ユニットによって印刷するステップと、
を含んでいる、方法が提供される。
【００２９】
本発明の第５の態様によると、車両に取り付けられている受信器によって受信される放送に関する情報を検索する情報検索システムであって、
無線周波数受信器と、
受信器によって受信される特定の放送に関連して送信される識別タグを検出して識別するタグ識別手段と、
タグ識別手段に接続されている起動手段であり、ユーザが放送に関する情報を取得することを望むときに操作してタグ識別手段を起動することのできる、起動手段と、
タグ識別手段によって生成された識別データを、タグ識別手段に応答して少なくともテキストデータに変換処理するレイアウトエンジンと、
レイアウトエンジンに接続されている印刷前処理手段であり、データを処理して、印刷に適する形式である書式付きデータを生成する、印刷前処理手段と、
要求時に書式付きデータを印刷して放送に関する情報のハードコピーを提供する車載プリンタと、
を含んでいる、情報検索システムが提供される。
【００３０】
本発明の第６の態様によると、車両に取り付けられている受信器によって受信される放送に関する情報を検索する方法であって、
無線周波数受信器によって特定の放送を受信するステップと、
放送に関連して送信される識別タグをタグ識別手段によって検出して識別するステップと、
ユーザが放送に関する情報を取得することを望むときにタグ識別手段を起動するステップと、
タグ識別手段によって生成された識別データを少なくともテキストデータに変換処理するステップと、
テキストデータを処理して、印刷に適する形式である書式付きデータを生成するステップと、
車両に含まれている車載プリンタによって書式付きデータを要求時に印刷して、放送に関する情報のハードコピーを提供するステップと、
を含んでいる、方法が提供される。
【００３１】
以下では、添付されている図面を参照しながら、本発明の好ましい実施形態を一例として説明する。
【詳細な説明】
【００３２】
図面を参照する。受信器によって受信される放送に関する情報を検索する、本発明による情報検索システムは、参照数字１０によって表してある。システム１０は、無線周波数受信器１２を備えている。この受信器１２の出力には、タグ照合ユニット１８の形式における検出装置が接続されている。タグ照合ユニット１８には、ユーザ端末２６が接続されている。タグ照合ユニット１８の出力には、処理手段１４が接続されている。
【００３３】
処理手段１４は、レイアウトエンジン２８を備えている。レイアウトエンジン２８は、タグ照合ユニット１８からページコンテンツとレイアウトとをライン２０を通じて受信する。このレイアウトエンジン２８は、ユニット１８から受信したデータを操作し、ページ記述を処理手段１４のラスタライゼーションモジュール３４にライン３２を通じて送信する。ラスタライゼーションモジュール３４は、ラスタライゼーション処理したページを処理手段１４のページ圧縮モジュール３８にライン３６を通じて出力する。
【００３４】
ページ圧縮モジュール３８の出力には、印刷ユニット１６が接続されている。印刷ユニット１６は、プリンタコントローラ４２を備えており、このコントローラは、ページ圧縮モジュール３８から出力される圧縮されたページを受信する。プリンタコントローラ４２は、必要な情報を印刷する目的でプリンタ１００を制御する。
【００３５】
放送と一緒に符号化される情報のタイプは、放送のタイプに依存する。
【００３６】
上述したように、受信器１２は、ラジオ受信器又はテレビ受信器でよい。更に、放送は、アナログ放送又はデジタル放送でよい。
【００３７】
アナログ音声放送の場合、音声信号には冗長部分が存在し、この冗長部分は、代表的には周知の音声圧縮手法の一部として使用される心理聴覚モデルによって識別することができる。音声信号の聴感上の品質に影響を与えずに、認識できない信号部分にほぼ対応するスペクトル部分を取り除き、符号化データに置き換えることができる。信号の既存の部分を置き換えることに加えて、スペクトルのうち、聴感上の音声品質に影響を与えることなくデータを挿入することのできる領域を特定することも可能である。これらのスペクトル部分に補足信号を符号化する適切な方法によって、曲のタイトル、アーチストや、放送に関連するその他の詳細情報などのデータを挿入して符号化することが可能である。
【００３８】
デジタル音声信号の場合には、現在、デジタル音声放送の規格が実施されているが、この規格に準拠する利用可能な受信器は限られている。この規格は、データ成分と音声成分とに分割される割り当て帯域幅の仕様を定めている。データ成分は、音声送信と一緒に放送することのできる補助データを符号化するのに極めて適している。この場合にも、データ成分には、特定の放送に関連する情報を含めることができる。
【００３９】
同様に、テレビ放送の場合、信号の特性を利用する、又は既存の規格を利用することによる多数の手法を使用して、追加情報を符号化することができる。
【００４０】
アナログテレビ放送の場合、垂直帰線期間として知られている、表示データが送信されない時間がある。この垂直帰線期間の間は、映像イメージや音声信号に影響を与えることなく、テレビ放送信号の中に追加情報を容易に符号化することができる。
【００４１】
デジタルテレビの場合には、現在、イメージの放送に加えてデータ放送機能を提供する規格が採用されている。このデータ放送機能は、他の場合と同様に、デジタルテレビ放送に追加情報を符号化するのに適している。
【００４２】
放送の中に追加情報を含める場合、取り出し後にユーザに役立つデータを、放送ストリームの中に符号化することが可能である。一つの可能な方法は、放送局の名称や、放送されているコンテンツに関する何らかの詳細情報を表すデータなど、単純なデータセットを放送ストリームの中に符号化することである。放送ストリームの中に符号化することのできるデータのもう一つの例は、タグ（ＵＲＬなど）であり、タグは、二次サービスにアクセスしたり、二次サービスを索引付けるのに利用することができる。この場合、二次サービスは、放送に関する更なる情報を提供することができる。追加情報や補足情報にアクセスするための更なるタグを二次サービスに含めることも可能である。
【００４３】
プリンタ１０とそれに関連付けられているユーザ端末２６とを車両に含めることによって、視聴者は、放送に関連するデータを必要なときに印刷形式にて取得して使用することができる。
【００４４】
以下に、システム１０のいくつかのコンポーネントについて詳しく説明する。
【００４５】
レイアウトエンジン２８は、複数の情報源から供給されるデータを扱うことが要求されることがある。データによっては、レイアウト情報が埋め込まれていないことがある。供給されるコンテンツの種類によっては、最初にコンテンツの書式付き記述を作成した後、それを使用してページ記述言語による一枚以上のページを生成することが必要となることがある。
【００４６】
ページを作成する目的で使用することのできるデータ要素の種類と要素の構造は、レイアウトエンジン２８が生成するページ記述言語によって決まる。例えば、使用されるページ記述言語がＰｏｓｔｓｃｒｉｐｔである場合、ページを記述するのに使用される要素として、ラインセグメント及び曲線から成る経路（塗りつぶしと輪郭）、対応するフォント定義を持つテキスト、イメージが挙げられる。
【００４７】
データをレイアウトするためのテンプレートは、ユーザの選択に基づいてレイアウトエンジン２８によって動的に生成することができ、又は、定義済みの組み込みテンプレートでよい。又は、テンプレートデータの供給元など何らかのその他のソースから取得することもできる。
【００４８】
テキストとグラフィックの両方の複数の要素が含まれているページの一貫性のあるレイアウトセットを生成する目的で使用できる、レイアウトとコンテンツの記述方法には、いくつか候補がある。
【００４９】
複数の個別のソースからのデータを使用できるデータレイアウト方法の一つの例は、ＸＭＬ（ｅＸｔｅｎｓｉｂｌｅ  Ｍａｒｋｕｐ  Ｌａｎｇｕａｇｅ）とＸＳＬ（ｅＸｔｅｎｓｉｂｌｅ  Ｓｔｙｌｅｓｈｅｅｔ  Ｌａｎｇｕａｇｅ）の組み合わせを使用することである。
【００５０】
ＸＭＬでは、コンテンツに一連のタグを適用することによって、コンテンツをマークアップすることができる。特定のＸＭＬコンテンツにおける各タグの定義は、そのＸＭＬによって参照される個別のスキーマに記述される。
【００５１】
ＸＳＬは、選択操作とフィルタリング操作とを同時に実行しながら、ＸＭＬを別の形式（例：ＨＴＭＬ）に変換する方法を提供する。
【００５２】
レイアウト仕様としてＸＭＬコンテンツとＸＳＬとを組み合わせることによって、一枚以上のページを書式設定言語で記述することができる。その後、書式設定言語を、印刷に適するページ記述言語（すなわちオブジェクトとその位置、及び構成の詳細の記述を提供する言語）に変換することができる。
【００５３】
レイアウトとコンテンツを記述する目的で使用可能なもう一つの方法は、ＨＴＭＬ（Ｈｙｐｅｒ  Ｔｅｘｔ  Ｍａｒｋｕｐ  Ｌａｎｇｕａｇｅ）において指定されるドキュメントである。このドキュメントは、ページ記述を作成する目的でレイアウトエンジン２８に送られる。ＣＳＳ（Ｃａｓｃａｄｉｎｇ  Ｓｔｙｌｅ  Ｓｈｅｅｔ）標準に従って指定される一つ以上のスタイルシートを供給することもでき、これによって、レイアウトエンジン２８は、供給されたスタイルに一連のタグを関連付けることができる。スタイルシートが供給されない場合は、レイアウトエンジン２８の内部の一連のデフォルトスタイルが採用される。
【００５４】
次に、ＨＴＭＬドキュメントは、印刷に適するページ記述言語に変換される。
【００５５】
ラスタライゼーションモジュール３４は、ページ記述言語から、プリンタ１００のプリントエンジン（図示せず）に送ることのできる形式に変換する目的で設けられている。この形式は、プリントエンジンの特性、例えば出力装置の色域、使用するマーカーのタイプ、使用するマーカーの数（及び各マーカーの色）、マークする媒体などに応じて、様々な形式をとることができる。
【００５６】
ラスタライゼーションモジュール３４が受信するページ記述も、いくつかの形式をとることができる。多くのページ記述言語は、プログラムによって生成する方式でページが記述されることにおいて、プログラム指向である。それ以外のページ記述言語は、プリンタのアルゴリズムによってページに配置される一連のオブジェクトに基づいてページを記述する。更に別のページ記述言語は、ページに配置されるオブジェクトの階層を定義する構成モデル（ｃｏｍｐｏｓｉｔｉｎｇ  ｍｏｄｅｌ）に基づいてページを記述し、各オブジェクトには隣接する別のオブジェクトに対する構成上の順序が定義される。
【００５７】
ラスタライゼーションモジュール３４によってページ、又は一連のページ、ページ上のオブジェクトのサブセット、複数のページ上のオブジェクトのサブセットのラスタライゼーションを処理する方法は、いくつかある。
【００５８】
ラスタライゼーションの一つの方法では、分割統治（ｄｉｖｉｄｅ−ａｎｄ−ｃｏｎｑｕｅｒ）手法を使用して、最初にページ記述言語を解釈してページのモデルを形成する。ページを走査し、オブジェクトに遭遇するたびにラスタライゼーション処理を行って挿入していき、ページの一部のピックスマップ出力を形成する。次に、ピックスマップを出力装置の色空間にマッピングする、又は出力装置に要求される特性に合致するようにディザリングする（又は誤差を除去する）。
【００５９】
ラスタライゼーションモジュール３４によって採用することのできる別のラスタライゼーション方法は、オブジェクトのタイプと、ページに対するオブジェクトの範囲（及びページのうちレンダリング処理している部分）と、オブジェクトのキャッシングの状況とに応じて、各オブジェクトを完全に、又は部分的にレンダリングすることである。例えば、文字列にラスタライゼーション処理を行う場合、文字列の中の各文字について完全にラスタライゼーション処理を行った後、後から再利用できるようにキャッシュに格納しておくことができる。これに対して、塗りつぶされた長方形は、必要なときにのみラスタライゼーション処理を行うことができる。
【００６０】
ラスタライゼーション処理を行う各ページは、ラスタライゼーションモジュール３４の出力要件に応じて、全体を生成するか、又は帯（ｂａｎｄ）単位で生成して、ページ圧縮モジュール３８に転送することができる。この方式では、ページが特定のサイズより大きくメモリを節約する必要がある場合に、ページを複数の帯範囲に分割して、必要な時点で各帯範囲にラスタライゼーション処理を行うことができる。
【００６１】
ページ圧縮モジュール３８は、プリンタコントローラ４２に転送する必要のあるラスタライゼーション処理済みページデータの量を低減する目的で設けられている。ページデータは、多数の手法のうち、最終的な印刷イメージの品質の明らかな低下につながることのない一つ以上の手法を使用して圧縮される。
【００６２】
コントーンデータを圧縮する一つの方法は、ＪＰＥＧ圧縮である。この圧縮手法では、コントーンピクセルをルミナンス／クロミナンスの表現形式に変換し、データの離散コサイン変換の量子化を使用することによって効率的に圧縮することができる。量子化されたデータにエントロピー符号化を行って、値ゼロの要素の長い連続を縮小することによって、データのサイズが全体として十分の一に減少し、ほとんどの場合にイメージ品質が大きく損なわれることもない。
【００６３】
ＪＰＥＧ  ２０００規格によって採用されているウェーブレット変換は、コントーンデータを圧縮するのに使用される方法である。ＪＰＥＧ  ２０００では、二種類のウェーブレット変換、すなわち、損失のある圧縮用の９／７ウェーブレット変換と、損失のない圧縮用の５／３  ３ウェーブレット変換の仕様が定められている。９／７ウェーブレット変換を使用しての圧縮の結果の方が、離散コサイン変換を使用しての圧縮の結果より視覚的に優れていることから、再構築後のイメージに大きな劣化が生じることなく少なくとも５０：１の圧縮比を達成できることが予測される。
【００６４】
ＪＰＥＧ  ２０００によって採用されている走査順序は、元のイメージのらせん走査であり、一度に一つのピクセルを移動していく。これは、印刷アプリケーションには便利ではなく、なぜなら、印刷を実行するためにはページ全体を復号化して格納するか、又はページを何度か復号化する必要があるためである。これに対処するため、イメージの各行を順に移動する代替の走査順序を採用することが可能であり、この場合、圧縮されているページ全体を受信しなくても、受信したイメージの各部分をただちに復号化して印刷することができる。
【００６５】
バイレベルのイメージの圧縮は、一般に知られているグループ３又はグループ４のＦＡＸアルゴリズムを使用することによって実行することができる。これらのアルゴリズムでは、一般的なバイレベルイメージの二次元特性を利用して、平均で３０：１の圧縮が達成される。
【００６６】
ＪＢＩＧ２と称されている、バイレベルイメージを圧縮する方法が、ＪＢＩＧ（Ｊｏｉｎｔ  Ｂｉｌｅｖｅｌ  Ｉｍａｇｅ  Ｇｒｏｕｐ）によって定義された。この方法では、符号器と復号器をより複雑に組み合わせることによって、従来のグループ３又はグループ４のＦＡＸアルゴリズムよりも高い圧縮比を得ることができる。ＪＢＩＧ２では、基本的に、エンコーダが入力イメージを複数の適切な領域にセグメント化し、各領域をそれぞれの特性に応じて専用の手法によって圧縮して符号化する。テキスト要素が含まれている領域は、各文字に対応するビットマップの符号化バージョンを格納するアルゴリズムを使用して符号化される。ハーフトーンイメージが含まれている領域（特に順序指定ハーフトーン方式（ｏｒｄｅｒｅｄ  ｈａｌｆ  ｔｏｎｉｎｇ）が使用されている場合）は、ハーフトーンパターンの辞書と、辞書を適用する領域とを格納することによって符号化される。それ以外の要素（例：線画）が含まれている領域は、圧縮ビットマップ表現に符号化される。
【００６７】
場合によっては、ページ圧縮が必要ないことがある。その場合、ページ圧縮モジュール３８は、ヌル圧縮（ｎｕｌｌ  ｃｏｍｐｒｅｓｓｉｏｎ）を使用して機能し、ページは圧縮されることなく、ページ圧縮モジュール３８はパススルーモジュールとして機能する。
【００６８】
プリンタコントローラ４２は、印刷プロセスのうちハードウェアに固有な面を扱う。これによって、一連のプリントモジュール群の上流においてシステムの細部を変更することなく、複数の異なるタイプの印刷メカニズム又はプリンタ１００を採用することが可能になる。
【００６９】
プリンタコントローラ４２は、各ページのラスタライゼーション済バージョンを受信し、このデータは、通常は上述した圧縮手法の一つを使用して圧縮されている。ページは、ページのサイズと先行するモジュール３４，３８の機能とに応じて、全体を受信する、又は帯単位で受信することができる。
【００７０】
プリンタコントローラ４２においては、プリンタの順序でページデータへのアクセスが漸次行われる。必要な場合には圧縮解凍され、プリンタ１００のハードウェアがプリントヘッド３００をプログラムすることができるように、プリンタ１００のハードウェアに適する形式に編成される。この編成時には、特定のプリントヘッド３００の特殊な特性を考慮するうえで必要となりうる要因を含めることができ、例えば、プリントデータの拡大やディザリング、或いは使用するマーカーや用紙に対する調整（必要時）などである。
【００７１】
図面の図２〜図７を参照しながら、プリンタ１０について詳しく説明する。
【００７２】
プリンタ１００は、シャーシ１１２（図３）を備えている。このシャーシは、アクセス開口１１８を持つトップカバー１１６によってカバーされている。アクセス開口１１８は、フラップ１２０によって閉じられる。フラップ１２０にはばねによる力がかかっており、プリンタ１００からカートリッジ１２２が取り出されると、フラップは上向きに戻ってアクセス開口１１８を閉じる。
【００７３】
プリンタにコマンドを送る装置は、例えば自動車の配線ルーム（ｗｉｒｉｎｇ  ｌｏｏｍ）を通じてプリンタ１００に結線するか、又はその代わりに、無線式にプリンタ１００にコマンドを送ることができる。この目的のため、プリンタ１００は、赤外線通信や無線周波数通信などの無線通信を検出することのできるポート１２４を備えている。
【００７４】
プリンタ１００には、プリントヘッド３００が組み込まれている。プリントヘッド３００は、インクジェット式ページ幅プリントヘッドである。より詳細には、プリントヘッド３００は、四色プリントヘッド、又は三色＋赤外線インクのプリントヘッドであり、後者は、カートリッジ１２２に格納されている印刷媒体に写真品質のプリントを印刷する。プリントヘッド３００は、１６００ｄｐｉで印刷を行うためのノズルアレイを備えている。プリントヘッド３００のノズルは、出願人のＭｅｍｊｅｔ技術を使用して製造される。以下に、このプリントヘッドについて詳しく説明する。
【００７５】
プリントヘッド３００は、シャーシ１１２に固定されている印刷回路基板（ＰＣＢ）１３６からコマンドを受け取る。
【００７６】
シャーシ１１２の側壁１４２には、一対の駆動モーター１３８，１４０が取り付けられている。駆動モーター１３８は、ステッパーモーターの形式であり、第１のギアトレイン１４４の形式の第１の駆動装置を駆動する。第１のギアトレイン１４４は、シャーシ１１２の側面成形部品１４６に取り付けられている。
【００７７】
駆動モーター１４０は、同じくステッパーモーターの形式であり、第２のギアトレイン１５０の形式の第２の駆動装置を介して駆動ローラー１４８を駆動する。
【００７８】
プリントヘッド３００は、インクホース１５２からインクを受け取る。このインクホースは、インク供給マニホールド１５６を介してカートリッジ１２２のインク供給リザーバ１５４（図７）と連通している。これについては、後から詳しく説明する。
【００７９】
図面の図４を参照し、この図はプリンタ１００の分解図を示している。注目すべき点として、プリントヘッド３００はＴＡＢフィルム１５４を通じてＰＣＢ  １３６と通信する。
【００８０】
側面成形部品１４６には、スロット１５８が画成されている。このスロット１５８は、カートリッジ１２２の対応する部分を受け入れる。更に、プリンタ１００の底面１６２の上には、ローラーセット１６０が取り付けられている。ローラーセット１６０は、回転可能な軸１６２を備えている。この軸１６２の両端には、ほぼ先端に歯１６４が取り付けられている。それぞれの歯１６４は、カートリッジ１２２の両側にそれぞれ一本ずつの、縦方向に延びているラック２００，２０２と噛み合って、カートリッジ１２２がプリンタ１００に挿入されるとき、又はプリンタ１００から取り出されるときに、カートリッジ１２２がゆがむことを防ぐ。
【００８１】
第１のギアトレイン１４４は、プリンタ１００のピックアップローラー１６８と噛み合う。ピックアップローラー１６８は、印刷を実行するとき、カートリッジ１２２の中の用紙の束１７０（図５）からの用紙形式の印刷媒体に密着して、プリンタ１００のプリントヘッド３００に送る。
【００８２】
図面の図４に詳しく示すように、第１のギアトレイン１４４は、プリンタ１００を横切って延びている軸１７２を通じて、ステッパーモーター１３８によって駆動される。これによって、ステッパーモーター１３８からの動力が、第１のギアトレイン１４４に伝わる。軸１７２の一方の端部には、ギア１７４が成形部品１４６に隣接して取り付けられている。このギア１７４は、減速ギアセット１７６を駆動する。更に、減速ギアセット１７６は、逆転メカニズムと噛み合う。従って、ギアトレイン１４４は、二つの機能を実行する。逆転メカニズム１７８が選択されていないときには、ギアトレイン１４４は、カートリッジ１２２の上側ラック１８０と噛み合って、カートリッジ１２２をプリンタ１００の中に送るか、又はカートリッジ１２２をプリンタ１００から取り出す。逆転メカニズム１７８が選択されているときには、ギアトレイン１４４は、ピックアップローラー１６８、より具体的にはピックアップローラー１６８の端部に取り付けられているギア１８２と噛み合う。この場合、ギアトレイン１４４は、プリントヘッド３００に送るための駆動ローラー１４８に用紙を送る役割りを果たす。
【００８３】
次に、図面の図６と図７を参照して、カートリッジ１２２について詳しく説明する。
【００８４】
カートリッジ１２２は、底面成形部品１９０を備えている。金属カバー１９２は底面成形部品１９０を閉じている。カバー１９２は、その前縁に、横方向に間隔を空けて配置されている一対の開口１９４が画成されている。これらの開口１９４によって、プリンタ１００のピックアップローラー１６８が、カートリッジ１２２の中の用紙の束１７０の一番上の紙に密着することができる。
【００８５】
カートリッジ１２２の片側には、歯付きラック１９６が設けられている。歯付きラック１９６には、上側ラック１８０が画成されている。この上側ラック１８０は、カートリッジ１２２をプリンタ１００に挿入する、又はプリンタ１００から取り出す目的で、第１のギアトレイン１４４のギアと噛み合う。リブ１９８は、歯付きラック１９６の側面に沿って縦方向に延びている。このリブ１９８は、プリンタ１００の側面成形部品１４６のスロット１５８に受け入れられる。歯付きラック１９６の下面には、縦方向に延びている一方のラック２００（図７）も設けられており、このラックは一方の歯１６４と噛み合う。カートリッジ１２２の底面成形部品１９０の反対側には、縦方向に延びている他方のラック２０２が担持されている。このラック２０２は、カートリッジ１２２がプリンタ１００に挿入されるとき、又はプリンタ１００から取り出されるときにカートリッジ１２２がゆがむことを防ぐため、他方の歯１６４と噛み合う。
【００８６】
金属カバーの前縁には、フィードスロット２０４が画成されており、印刷する用紙はこのスロットを通じて送られる。フィードスロット２０４は、一部がプラスチック片２０６によって画成されており、このプラスチック帯片２０６は、一度に二枚以上の用紙がプリントヘッド３００に送られることを防ぐ。
【００８７】
帯片２０６の外側には、横方向に延びている溝２０８が画成されている。この溝２０８には、ばね式ローラー２１０が収容されている。ローラー２１０は、複数のクリップ２１２によって溝２０８の中に支持されている。
【００８８】
ローラー２１０は、複数の板ばね２１４によって溝２０８の底面に対して上方向に持ち上げられている。板ばね２１４は、溝２０８の一部を形成しているＬ字型の金属ブラケット２１６と一体に形成されている。ローラー２１０は、クリップ２１２にはめ込まれている。
【００８９】
プラテン２１８は、底面成形部品１９０の中に収容されている。プラテン２１８は、複数の板ばね２２０のばねの力によって持ち上げられている。板ばね２２０は、底面成形部品１９０の床２２２によって支持されており、用紙の束１７０をカバー１９２に密着させる。
【００９０】
インク供給リザーバ１５４は、底面成形部品１９０と一体に形成されているインク供給成形部品２２４を備えている。インク供給成形部品２２４には、複数のインク供給溝２２６が画成されている。各インク供給溝２２６には、特定の色のインクが含まれている。この明細書においては、用語「色」は、例えば赤外線インクなど、可視スペクトルにおいて見えないインクを含むものとして理解されるべきものとする。
【００９１】
溝２２６は、成形部品２２４にヒートシールされている柔らかい気泡状（ｂｌａｄｄｅｒ−ｌｉｋｅ）の膜２２８によって閉じられている。各溝２２６からインクが引き込まれると、対応する膜２２８が溝２２６の中に落ちることによって、その溝２２６に空気が侵入することが防止される。
【００９２】
各溝２２６は、インク出口２３０に通じている。各インク出口２３０は、破裂式シールの形式である。
【００９３】
図面の図４に詳しく示すように、プリンタ１００のインク供給マニホールド１５６は、ピン２３２を備えている。これらのピン２３２は、インク供給ホース１５２に通じている。カートリッジ１２２がプリンタ１００に挿入され、ギアトレイン１４４によって所定の位置まで駆動されると、ピン２３２がシール２３０を貫いて、ホース１５２が対応するインク供給チャネル溝２２６と連通している状態に配置される。
【００９４】
カートリッジ１２２は、品質保証チップ２３４を備えている。このチップ２３４は、カートリッジ１２２とプリンタとの正しい通信と、カートリッジ１２２に要求される品質とを確保する。チップ２３４は、プリンタ１００のインク供給マニホールド１５６に取り付けられているチップ接点２３６を通じて、プリンタ１００と通信する。カートリッジ１２２がギアトレイン１４４によって所定の位置まで駆動されると、チップ２３４が接点２３６に密着し、チップ２３４とプリンタ１００の回路基板１３６との間の通信を確立することができる。
【００９５】
カートリッジ１２２は使い捨てユニットであり、インクと用紙が使い切られた時点でカートリッジは処分される。これに代えて、カートリッジ１２２を再利用式にすることができる。後者の場合、カートリッジ１２２の中のインクと用紙が使い切られて、カートリッジ１２２がプリンタ１００から取り出されたならば、ユーザは使用済みの空のカートリッジ１２２を供給業者に持ち込むと、返金され得る。注目すべき点として、用紙若しくはインク、又はこの両方が使い切られた時点で、カートリッジ１２２はプリンタ１００から自動的に取り出される。
【００９６】
次に、図面の図８〜図１４を参照して、プリントヘッド３００について詳しく説明する。プリントヘッド３００は、ノズルアセンブリのアレイを備えており、このアレイについては後から詳しく説明する。最初に図面の図８を参照する。この図にはノズルアセンブリを図解してあり、ノズルアセンブリは参照数字４００によって示してある。
【００９７】
アセンブリ４００は、上に誘電体層４１８が堆積されているシリコン基板又はシリコンウエハ４１６を備えている。誘電体層４１８の上には、ＣＭＯＳ不動態層４２０が堆積されている。
【００９８】
各ノズルアセンブリ４００は、ノズル開口４２４を画成しているノズル４２２と、レバーアーム４２６の形式の連結部材と、アクチュエータ４２８とを備えている。レバーアーム４２６は、アクチュエータ４２８をノズル４２２に連結している。
【００９９】
図面の図９〜図１１に詳しく示すように、ノズル４２２は、クラウン部分４３０を備えており、このクラウン部分４３０からスカート部分４３２が垂下されている。スカート部分４３２は、ノズルチャンバ４３４の周壁の一部を形成している。ノズル開口４２４は、ノズルチャンバ４３４と流体連通している。注目すべき点として、ノズル開口４２４は、持ち上がった縁部４３６によって囲まれており、この縁部は、インクの塊４４０のメニスカス４３８（図９）をノズルチャンバ４３４の中に「固定」している。
【０１００】
インク入口穴４４２（図面の図１３に最も明確に示してある）は、ノズルチャンバ４３４の床４４６に画成されている。この穴４４２は、基板４１６を貫いて画成されているインク入口溝４４８と流体連通している。
【０１０１】
壁部分４５０は、穴４４２の境界を形成しており、床部分４４６から上に延在している。ノズル４２２のスカート部分４３２は、上述したように、ノズルチャンバ４３４の周壁の第１の部分を画成しており、ノズルチャンバ４３４の周壁の第２の部分は、壁部分４５０が画成している。
【０１０２】
壁４５０は、その自由端に、内向きのリップ４５２を備えており、このリップは、ノズル４２２が変位しているときにインクが流出しないようにする流体用シールとして機能し、これについては後から詳しく説明する。インク４４０の粘性と、リップ４５２とスカート部分４３２との間の間隔が狭いこととによって、内向きのリップ４５２と表面張力が、ノズルチャンバ４３４からインクが流出することを抑制するシールとして機能することが理解されるであろう。
【０１０３】
アクチュエータ４２８は、熱で曲がるアクチュエータであり、基板４１６から、より具体的にはＣＯＭＳ不動態層４２０から上向きに延在しているアンカー４５４に連結されている。アンカー４５４は、アクチュエータ４２８との電気接続を形成している導電パッド４５６の上に取り付けられている。
【０１０４】
アクチュエータ４２８は、一対の第２の受動梁４６０の上に配置されている一対の第１の能動梁４５８を備えている。好ましい実施形態においては、一対の梁４５８，４６０のいずれも、窒化チタン（ＴｉＮ）などの導電性のセラミック材料である、又は導電性のセラミック材料を含んでいる。
【０１０５】
一対の梁４５８，４６０のいずれも、その第１の端部がアンカー４５４に固定されており、反対側の端部がアーム４２６に固定されている。能動梁４５８に電流が流れると、梁４５８が熱膨張する。電流が流れていない受動梁４６０は同じ割合では膨張しないため、曲げモーメントが生じ、これによって、図面の図１０に示すように、アーム４２６、従ってノズル４２２が、基板４１６の方に下向きに変位する。これによって、図面の図１０における４６２に示すように、ノズル開口４２４からインクが突き出す。能動梁４５８から熱源が取り除かれる、すなわち電流を停止すると、ノズル４２２は、図面の図１１に示すように、その静止位置に戻る。ノズル４２２が静止位置に戻るとき、図面の図１１における４６６に示すように、インク滴の首が切れる結果として、インク滴４６４が形成される。インク滴４６４は、用紙などの印刷媒体まで飛ぶ。インク滴４６４が形成される結果として、図面の図１１における４６８に示すように、「負」のメニスカスが形成される。この負のメニスカス４６８の結果として、インク４４０がノズルチャンバ４３４の中に流れ込み、新しいメニスカス４３８が形成され、ノズルアセンブリ４００から次のインク滴が突き出ることができる状態となる。
【０１０６】
次に、図面の図１２〜図１４を参照して、プリントヘッド３００の一部について詳しく説明する。プリントヘッド３００は、四色プリントヘッドである。従って、プリントヘッド３００は、各色に一グループずつ、ノズルアセンブリの四つのグループ３７０を備えている。各グループ３７０は、二本の列３７２，３７４に編成されているノズルアセンブリ４００を備えている。図面の図１３は、グループ３７０の一つを詳しく示している。
【０１０７】
ノズルアセンブリ４００を列３７２と列３７４に密集状に配置するため、列３７４のノズルアセンブリ４００は、列３７２のノズルアセンブリ４００に対してずらして、又は互い違いに配置されている。また、列３７２のノズルアセンブリ４００は、列３７４のノズルアセンブリ４００のレバーアーム４２６が、列３７２のノズルアセンブリ４００の隣り合うノズル４２２の間を通過するように、十分な間隔で配置されている。注目される点として、各ノズルアセンブリ４００は平面内でダンベル形状であり、列３７２のノズル４２２は、列３７４の隣接するノズルアセンブリ４００のノズル４２２とアクチュエータ４２８との間に収まっている。
【０１０８】
更に、列３７２と列３７４のノズル４２２の密集度を高めるため、各ノズル４２２は平面内で実質的に六角形である。
【０１０９】
基板４１６の上にはボンドパッド３７６が配置されており、パッド４５６を通じてノズルアセンブリ４００のアクチュエータ４２８への電気接続が形成されている。この電気接続は、ＣＭＯＳ層（図示されていない）を通じて形成されている。
【０１１０】
プリントヘッド３００の基板４１６の上には、ノズルガード３８０が取り付けられている。ノズルガード３８０は本体部材３８２を含んでおり、この本体部材３８２には、中を貫通する複数の通路が画成されている。通路３８４は、プリントヘッド３００のノズルアセンブリ４００のノズル開口４２４と位置が合致しており、従って、ノズル開口４２４のいずれか一つからインクが射出されると、インクは対応する通路３８４を通過した後に印刷媒体に当たる。
【０１１１】
本体部材３８２は、ノズルアセンブリ４００に対して間隔を空けた状態で、アーム又は支柱３８６によって取り付けられている。支柱３８６の一つには、空気入口孔３８８が画成されている。
【０１１２】
プリントヘッド３００が動作するとき、通路３８４の中を移動するインクと一緒に、入口開口３８８から空気が取り込まれて通路３８４の中を強制的に送られる。この空気の目的は、通路３８４に異物が存在しないように維持することである。このような異物（塵粒など）は、ノズルアセンブリ４００の上に落ちて動作に悪い影響を与える危険性がある。ノズルガード３８０に空気入口孔３８８を設けることによって、この問題は大幅に回避される。
【０１１３】
本発明の別の実施形態においては、図面の図１５に示すように、プリンタ１００は内蔵されており、車内エンターテイメント（ＩＣＥ）ユニット５００の一部を形成している。
【０１１４】
ＩＣＥユニット５００は、ＣＤプレーヤー５０２と、コントロール部を持つラジオ５０４とに加えて、フルカラーＬＣＤ  ５０６を備えている。このユニット５００は、テレビ受信器としても機能する。ユニット５００には、上述したタイプのプリンタ１００が組み込まれている。ユニット５００は、テレビ受信器として動作するときにＬＣＤ  ５０６の動作をコントロールするための一連の制御ボタン５０８を備えている。更に、ユニット５００は、プリンタ１００とプリンタ１００によって印刷されるコンテンツとを制御する目的で設けられているユーザ端末２６を備えている。
【０１１５】
使用時、放送信号が受信され、ユーザがその放送に関する更なる情報を取得することを望むとき、ユーザはユーザ端末２６を操作してタグ照合ユニット１８を起動する。タグ照合ユニット１８は、放送信号からタグを取り出し、そのタグの照合を実行することによって、タグに関連付けられている情報を検索する。
【０１１６】
タグ照合ユニット１８によって検索される情報には、イメージやテキストなど、印刷可能な任意の種類の情報が含まれる。この情報は、レイアウトエンジン２８に転送され、該当時には、同様に検索されるページレイアウト情報も一緒に転送される。
【０１１７】
レイアウトエンジン２８は、レイアウト情報に従ってデータ要素のレイアウトを実行し、ｐｏｓｔｓｃｒｉｐｔやＰＤＦなどの適切なページ記述言語における一枚以上のページの記述を生成する。
【０１１８】
各ページの記述は、処理手段の一連のモジュール、より詳細にはラスタライゼーションモジュール３４とページ圧縮モジュール３８に転送される。これらのモジュールでは、レイアウトエンジン２８によってライン３２を通じて出力されたデータが更に操作されて、印刷に適する形式に変換される。モジュール３４，３８は、現在放送中の音声コンテンツやテレビコンテンツを説明する一枚以上のページの出力を生成する。この説明には、放送に関連するイメージや、放送された楽曲・映像や放送に関連する楽曲・映像が入手できるメディア（楽曲の場合はアルバムなど）の詳細情報などを含めることができる。
【０１１９】
この書式付きデータは、プリンタコントローラ４２に転送される。プリンタコントローラ４２は、プリンタ１００を起動し、紙などの適切な媒体に情報を印刷する。
【０１２０】
本発明の一つの用途は、広告での使用であり、例えば、クーポンや、小売店舗の詳細情報を印刷することである。
【０１２１】
広告放送の場合、受信器１２によって受信されたときに、視聴者に特別サービスを提供することができる。このサービスを後から受けることのできる一枚以上のクーポンを、プリンタ１００によって印刷することができる。視聴者は、対象の広告を聞いた時点で、ユーザ端末２６によってタグ照合ユニット１８を起動する。これによって、その時点で送信されている補助データが復号化される。補助データがタグ形式である場合、そのデータの照合が行われ、一枚以上のクーポンがプリンタ１００によって印刷される。
【０１２２】
同様に、特定の小売店舗を説明する補助データが含まれている広告を放送することができる。その場合、視聴者がユーザ端末２６を作動させると、小売店舗に関する情報（名称、位置、連絡先など）が生成されてプリンタ１００によって印刷することができる。
【０１２３】
本発明のもう一つの用途は、例えばＣＤやビデオなど製品の販売促進（ｏｎ−ｓｅｌｌｉｎｇ）である。
【０１２４】
ラジオ放送を聞いているときに耳にした曲のコピーを取得したくなることがしばしばある。放送と一緒に送信される補助データに、曲に関する情報と、その曲を聴くことのできるメディア（その曲が収録されているアルバムなど）に関する情報の両方が含まれている、又はこれらの情報の入手先が示されているならば、ユーザは必要時にこれらの情報を印刷し、後からこの情報を利用して購入することができる。
【０１２５】
同様の原理は、車内テレビ番組に関しても当てはまり、この場合、番組を見ているユーザがその番組のコピーを取得したくなることがある。この場合、番組と、その番組を見ることができるメディアの両方の詳細情報が、補助データとして放送の中に符号化され、ユーザは必要に応じてその情報を印刷して見ることができる。
【０１２６】
従って、ユーザがユーザ端末２６を起動することによって、放送に関する情報をハードコピーの形式で印刷することができるシステム１０が提供されることは、本発明の利点である。これは、単に一つ以上のボタンを作動させることによって行うことができ、これにより視聴者の操作が大幅に単純化され、視聴者が運転手でもある場合には、安全性も高まる。
【０１２７】
更に、視聴者は放送に関する情報を書き留めるための都合のよい紙と筆記具を車両の中で探し回る必要がない。この場合にも、ユーザ端末２６の一つないしいくつかのボタンを操作するだけで、この情報をダウンロードし、後から利用するのに便利な形式で印刷しておくことができる。
【０１２８】
広告キャンペーンの場合には、プリンタとシステム１０とを利用することによって、広告キャンペーンの範囲が広がり、視聴者は特別サービスの恩恵を受けることができる。
【０１２９】
本発明はいくつかの具体的な実施形態を参照しながら説明してきたが、本発明は多数の別の形式に具体化することができることが理解されるであろう。
【図面の簡単な説明】
【０１３０】
【図１】本発明による、放送に関する情報を検索する情報検索システムのブロック図を示している。
【図２】システムと一緒に使用するプリンタの三次元図を示している。
【図３】カバーを取り外した状態のプリンタの三次元図を示している。
【図４】プリンタの三次元の分解図を示している。
【図５】プリンタの側面断面図を示している。
【図６】プリンタのカートリッジの三次元図を示している。
【図７】カートリッジの三次元の分解図を示している。
【図８】プリンタのインクジェットプリントヘッドのノズルアセンブリの三次元の概略図を示している。
【図９】図８のノズルアセンブリの動作を説明する三次元の概略図を示している。
【図１０】図８のノズルアセンブリの動作を説明する三次元の概略図を示している。
【図１１】図８のノズルアセンブリの動作を説明する三次元の概略図を示している。
【図１２】プリントヘッドを構成しているノズルアレイの三次元図を示している。
【図１３】図１２のアレイの一部を拡大して示している。
【図１４】ノズルガードを備えているプリントヘッドの三次元図を示している。
【図１５】情報検索システムの一つの実施形態の三次元図を示している。
【図１】
2005518131.tif 000003
【図２】
2005518131.tif 000004
【図３】
2005518131.tif 000005
【図４】
2005518131.tif 000006
【図５】
2005518131.tif 000007
【図６】
2005518131.tif 000008
【図７】
2005518131.tif 000009
【図８】
2005518131.tif 000010
【図９】
2005518131.tif 000011
【図１０】
2005518131.tif 000012
【図１１】
2005518131.tif 000013
【図１２】
2005518131.tif 000014
【図１３】
2005518131.tif 000015
【図１４】
2005518131.tif 000016
【図１５】
2005518131.tif 000017
【手続補正書】
【提出日】平成16年2月6日(2004.2.6)
【手続補正１】
【補正対象書類名】特許請求の範囲
【補正対象項目名】全文
【補正方法】変更
【補正の内容】
【特許請求の範囲】
【請求項１】
受信器によって受信される放送に関する情報を検索する情報検索システムであって、
無線周波数受信器と、
前記受信器によって受信される特定の放送に関する識別データを検出する検出手段であり、前記識別データが前記放送に関連して送信される、前記検出手段と、
前記検出手段と通信して、前記識別データを処理して印刷に適する書式付きデータを生成し、前記書式付きデータを圧縮する処理手段と、
前記受信器に関連する印刷ユニットであり、印刷対象である前記圧縮されている書式付きデータを受信して前記受信データを圧縮解凍するプリンタコントローラと、前記書式付きデータ印刷して前記放送に関する情報を提供するプリンタとを含んでいる、前記印刷ユニットと、
を含んでいる、情報検索システム。
【請求項２】
前記受信器が乗り物に取り付けられており、かつ、前記印刷ユニットが前記乗り物に取り付けられている、請求項１に記載のシステム。
【請求項３】
前記識別データが前記特定の放送に関連する識別タグを備えている、請求項１に記載のシステム。
【請求項４】
前記検出手段がタグ照合ユニットを備えている、請求項３に記載のシステム。
【請求項５】
前記放送がアナログ音声信号によるものであり、かつ、前記識別データが前記信号に挿入される、請求項１に記載のシステム。
【請求項６】
前記放送がデジタル音声信号によるものであり、かつ、前記識別データが前記信号の割り当てデータ成分に挿入される、請求項１に記載のシステム。
【請求項７】
前記放送がアナログ映像信号によるものであり、かつ、前記識別データが前記信号の帰線期間の間に前記信号に挿入される、請求項１に記載のシステム。
【請求項８】
前記放送がデジタル映像信号によるものであり、かつ、前記識別データが前記信号の割り当てデータ成分に挿入される、請求項１に記載のシステム。
【請求項９】
前記受信器が、前記識別データを検出させて前記識別データを前記印刷ユニットに送って印刷させる目的で、ユーザが操作して前記検出手段を起動することのできる作動手段、を備えている、請求項１に記載のシステム。
【請求項１０】
前記処理手段が、前記検出手段と通信するレイアウトエンジンを含んでいる、請求項１に記載のシステム。
【請求項１１】
前記レイアウトエンジンが、前記プリンタに送られるデータ要素を、適切な印刷媒体への印刷時に前記データが視覚的に認識できる形式で提示されるようにレイアウトする、請求項１０に記載のシステム。
【請求項１２】
前記処理手段が、前記レイアウトエンジンと通信して前記データを操作して前記書式付きデータを生成するデータ操作手段、を更に備えている、請求項１０に記載のシステム。
【請求項１３】
前記操作手段が、前記データにラスタライゼーション処理を行うように適合化されている、請求項１２に記載のシステム。
【請求項１４】
前記操作手段が、帯単位で前記データにラスタライゼーション処理を行って、ラスタライゼーション処理済みの複数の帯を形成するように適合化されている、請求項１３に記載のシステム。
【請求項１５】
前記処理手段が、前記ラスタライゼーション処理済みのデータを圧縮する圧縮モジュールであって、各帯を個別に圧縮するように適合化されている、前記圧縮モジュール、を含んでいる、請求項１４に記載のシステム。
【請求項１６】
前記圧縮が、
ＪＰＥＧ、
ＪＢＩＧ、
グループ３，４のＦＡＸアルゴリズム、
のうちの少なくとも一つである、請求項１に記載のシステム。
【請求項１７】
前記プリンタがインクジェット式ページ幅プリントヘッドを備えている、請求項１６に記載のシステム。
【請求項１８】
前記プリントヘッドがノズルのアレイを備えており、前記アレイが、マイクロメカトロニクス技術によって製作されている、請求項１７に記載のシステム。
【請求項１９】
受信器によって受信される放送に関する情報を検索する方法であって、
無線周波数受信器によって放送を受信するステップと、
前記受信器によって受信される特定の放送に関する識別データを検出するステップであり、前記識別データが前記放送に関連して送信される、前記ステップと、
前記識別データを処理して、印刷に適する書式付きデータを生成するステップと、
前記書式付きデータを圧縮するステップと、
前記書式付きデータをプリンタに転送するステップと、
前記圧縮されている書式付きデータを圧縮解凍するステップと、
前記書式付きデータを印刷して前記放送に関する情報を提供するステップと、
を含んでいる、方法。
【請求項２０】
前記受信器が乗り物に取り付けられており、かつ、前記方法が、前記乗り物にプリンタを取り付けるステップと、前記情報を前記プリンタによって印刷するステップとを含んでいる、請求項１９に記載の方法。
【請求項２１】
前記識別データを、前記特定の放送に関連するタグとして送信するステップを含んでいる、請求項２０に記載の方法。
【請求項２２】
前記タグをタグ照合ユニットによって検出するステップを含んでいる、請求項２１に記載の方法。
【請求項２３】
前記放送がアナログ音声信号によるものであり、かつ、前記方法が、前記識別データを前記信号に挿入するステップを含んでいる、請求項１９に記載の方法。
【請求項２４】
前記放送がデジタル音声信号によるものであり、かつ、前記方法が、前記識別データを前記信号の割り当てデータ成分に挿入するステップを含んでいる、請求項１９に記載の方法。
【請求項２５】
前記放送がアナログ映像信号によるものであり、かつ、前記方法が、前記識別データを前記信号の帰線期間の間に前記信号に挿入するステップを含んでいる、請求項１９に記載の方法。
【請求項２６】
前記放送がデジタル映像信号によるものであり、かつ、前記方法が、前記識別データを前記信号の割り当てデータ成分に挿入するステップを含んでいる、請求項１９に記載の方法。
【請求項２７】
前記識別データを検出して前記識別データを前記印刷ユニットに送って印刷する目的で、前記検出手段を起動するステップ、を含んでいる、請求項１９に記載の方法。
【請求項２８】
印刷前に前記識別データを操作して前記書式付きデータを生成するステップを含んでいる、請求項２７に記載の方法。
【請求項２９】
車両に取り付けられている受信器によって受信される放送に関する情報を検索する情報検索システムであって、
無線周波数受信器と、
前記受信器によって受信される特定の放送に関する識別データを検出する車載検出手段であり、前記識別データが前記放送に関連して送信される、前記車載検出手段と、
前記検出手段と通信して、前記識別データを処理して印刷に適する書式付きデータを生成し、前記書式付きデータを圧縮する処理手段と、
車載印刷ユニットであり、印刷対象である前記圧縮されている書式付きデータを受信して前記受信データを圧縮解凍するプリンタコントローラと、前記書式付きデータ圧縮解凍して印刷し前記放送に関する情報を提供するプリンタとを含んでいる、前記車載印刷ユニットと、
を含んでいる、情報検索システム。
【請求項３０】
車両に取り付けられている受信器によって受信される放送に関する情報を検索する方法であって、
無線周波数受信器によって放送を受信するステップと、
前記受信器によって受信される特定の放送に関する識別データを検出するステップであり、前記識別データが前記放送に関連して送信される、前記ステップと、
前記識別データを処理して、印刷に適する書式付きデータを生成するステップと、
前記書式付きデータを圧縮するステップと、
前記書式付きデータをプリンタに転送するステップと、
前記圧縮されている書式付きデータを圧縮解凍するステップと、
前記書式付きデータを車載印刷ユニットによって印刷するステップと、
を含んでいる、方法。
【請求項３１】
車両に取り付けられている受信器によって受信される放送に関する情報を検索する情報検索システムであって、
無線周波数受信器と、
前記受信器によって受信される特定の放送に関連して送信される識別タグを検出して識別するタグ識別手段と、
前記タグ識別手段に接続されている起動手段であり、ユーザが前記放送に関する情報を取得することを望むときに操作して前記タグ識別手段を起動することのできる、前記起動手段と、
前記タグ識別手段によって生成された識別データを、前記タグ識別手段に応答して少なくともテキストデータに変換処理するレイアウトエンジンと、
前記レイアウトエンジンに接続されている印刷前処理手段であり、前記データを処理して印刷に適する形式である書式付きデータを生成し、前記書式付きデータを圧縮する、前記印刷前処理手段と、
要求時に前記書式付きデータを圧縮解凍して印刷し、前記放送に関する前記情報のハードコピーを提供する車載プリンタと、
を含んでいる、情報検索システム。
【請求項３２】
車両に取り付けられている受信器によって受信される放送に関する情報を検索する方法であって、
無線周波数受信器によって特定の放送を受信するステップと、
前記放送に関連して送信される識別タグをタグ識別手段によって検出して識別するステップと、
ユーザが前記放送に関する情報を取得することを望むときに前記タグ識別手段を起動するステップと、
前記タグ識別手段によって生成された識別データを少なくともテキストデータに変換処理するステップと、
前記テキストデータを処理して、印刷に適する形式である書式付きデータを生成するステップと、
前記書式付きデータを圧縮するステップと、
前記書式付きデータをプリンタに転送するステップと、
前記圧縮されている書式付きデータを圧縮解凍するステップと、
前記車両に含まれている車載プリンタによって前記書式付きデータを要求時に印刷して、前記放送に関する情報のハードコピーを提供するステップと、
を含んでいる、方法。
【手続補正２】
【補正対象書類名】明細書
【補正対象項目名】０００９
【補正方法】変更
【補正の内容】
【０００９】
本発明の出願人又は譲渡人によって２００３年２月１２日付けで出願された以下の同時係属出願には、本発明に関連する様々な方法、システム、及び装置が開示されている。
PCT/AU03/00154  PCT/AU03/00151  PCT/AU03/00150  PCT/AU03/00145
PCT/AU03/00153  PCT/AU03/00152  PCT/AU03/00168  PCT/AU03/00169
PCT/AU03/00170  PCT/AU03/00162  PCT/AU03/00146  PCT/AU03/00159
PCT/AU03/00171  PCT/AU03/00149  PCT/AU03/00167  PCT/AU03/00158
PCT/AU03/00147  PCT/AU03/00166  PCT/AU03/00164  PCT/AU03/00163
PCT/AU03/00165  PCT/AU03/00160  PCT/AU03/00157  PCT/AU03/00148
PCT/AU03/00156  PCT/AU03/00155
これらの同時係属出願の開示は、本文書に相互参照によって援用される。


【国際調査報告】
2005518131.tif 000018
2005518131.tif 000019
2005518131.tif 000020